(57)【要約】      （修正有）【課題】同期整流を達成し、周波数レスポンスを高めるために、一個の電力スイッチが調節並びに整流素子の役目を果たすＭＰ３プレーヤーを有するメガネを提供する。【解決手段】前端にメガネフレーム及び２枚のレンズを有し、両側の後端にそれぞれ回転するサイド板を有すると共に、各サイド板のスライド端に耳のブラックト部を有するメガネであって、一つのサイド板は回転位置が設置されるメイン収納スペースに隣接し、その表面にメモリカードの挿入口を設けるものと、メモリカードの挿入口に対応する箇所にメモリカードコネクターを設置するＭＰ３モジュールと、前記メイン収納スペースを信号ラインを通じてＭＰ３モジュールと電気的に接続する少なくとも一つのイヤホンを含み、メモリカードをメイン収納スペースのメモリカードの挿入口よりメモリコネクターに嵌め込み電気的に接続する。【選択図】図１
0003129425.tif 000002
【実用新案登録請求の範囲】
【請求項１】
前端にメガネフレーム及び２枚のレンズを有し両側の後端にそれぞれ回転するサイド板を有すると共に、各サイド板のスライド端に耳のブラックト部を有するメガネであって、一つのサイド板は回転位置が設置されるメイン収納スペースに隣接し、その表面にメモリカードの挿入口を設けるものと、
前記メイン収納スペースに設置し前記メモリカードの挿入口に対応する箇所にメモリカードコネクターを設置するＭＰ３モジュールと、
前記メイン収納スペースを信号ラインを通じて前記ＭＰ３モジュールと電気的に接続する少なくとも一つのイヤホンを含み、
メモリカードをメイン収納スペースのメモリカードの挿入口から前記メモリコネクターに嵌め込み電気的に接続することを特徴とするＭＰ３プレーヤーを有するメガネ。
【請求項２】
前記メガネは一般の視力矯正用のメガネであることを特徴とする請求項１に記載のＭＰ３プレーヤーを有するメガネ。
【請求項３】
前記メガネはサングラス、スポーツ用のグラスまたはワーク用の機能タイプグラスであるでことを特徴とする請求項１に記載のＭＰ３プレーヤーを有するメガネ。
【請求項４】
前記メガネフレームの中央下端より一対の鼻パッドを具えていることを特徴とする請求項１に記載のＭＰ３プレーヤーを有するメガネ。
【請求項５】
前記耳のブラックト部は直線または折り曲げ状であることを特徴とする請求項１に記載のＭＰ３プレーヤーを有するメガネ。
【請求項６】
前記メガネの他方のサイド板には回転位置が設置されるサブ収納スペースに隣接しメイン収納スペースと対向し、イヤホンの信号ラインを通すのに用いられることを特徴とする請求項１に記載のＭＰ３プレーヤーを有するメガネ。
【請求項７】
前記メイン収納スペースは複数のケース孔を設置し、前記ＭＰ３モジュールは給電装置、ケース孔から露出する複数の制御キー、ケース孔から露出するコネクター挿入口を有することを特徴とする請求項１に記載のＭＰ３プレーヤーを有するメガネ。
【請求項８】
前記給電装置は充電バッテリーまたは少なくとも一つのボタン状のバッテリーであることを特徴とする請求項7に記載のＭＰ３プレーヤーを有するメガネ。
【請求項９】
前記メモリカードはMini-SDカードであることを特徴とする請求項１に記載の    ＭＰ３プレーヤーを有するメガネ。
【考案の詳細な説明】
【技術分野】
【０００１】
本考案はメガネ、特にＭＰ３プレーヤーを有するメガネに関する。
【背景技術】
【０００２】
メガネの用途は、近視、老眼、乱視の矯正或いは紫外線の遮断といった、通常は視力矯正若しくは外界の有害光線の遮断である。一般にメガネの設計は視覚的美観乃至かけた際の快適性を高めるべく、型の要素と部材を結合させたものである。然しながら、メガネ全体の構造から言うと、レンズを嵌めたメガネフレーム内側に対に鼻パッドを取り付け、外側にはそれぞれ後端に一対の回転するサイド板（ツル）を伸ばすと共に、前記サイド板のスライド端に折れ曲がった耳のブラックト部を有し、メガネ全体を両耳と鼻の間で支えて位置決めをしている。
【０００３】
このほか科学技術の日進月歩に伴い、ＭＰ３プレーヤーのモジュール化設計により日増しに「軽薄短小」となって携帯性を備えたことで、前記ＭＰ３プレーヤーは通常あるモノとセットになっている。中華民国発明公告第１２５３９０６号特許案件を例に取ると、該案件はヘッド式ＭＰ３プレーヤーであって、人間の頭部に載せて使用する軟質のヘッド式運動器具である。ＭＰ３モジュールと、前記軟質のヘッド式運動器具とＭＰ３モジュールの間に設置された固定装置とで、前記ＭＰ３モジュールを前記軟質のヘッド式運動器具に固定し、少なくとも一つのイヤホンは信号ラインによってＭＰ３モジュールと電気的に接続する。このため該案件を使用してスポーツの際に前記ＭＰ３モジュールでもって音楽を聴くことができる。
【０００４】
事実上、ＭＰ３モジュールの価格は１２８ＭＢ、２５６ＭＢ、５１２ＭＢ、１ＧＢ等の内蔵するメモリーで決められ、またメモリー容量が大きいほど価格も高くなり、この価格が往々にして消費者の購買意欲を決定付けるのである。然しながら、メモリーの売価変動が極めて大きことは知られており、こうした動向はＭＰ３モジュールメーカーにとって、資金が滞留するだけでなく、資金運用の予測や管理にも多大な影響を及ぼすこととなる。このほかに、ＭＰ３モジュールのメモリーが固定容量であるため、別途、メモリ容量を増大させたくてもこのことが特に不可能であり、ここに      ＭＰ３モジュールメーカーが早急に克服すべき問題がある。
【考案の開示】
【考案が解決しようとする課題】
【０００５】
本考案の目的は、正方向コンバーターの調節回路を提供することであり、それには同期整流を達成し、周波数レスポンスを高める目的のために、一個の電力スイッチが調節並びに整流素子の役目を果たす必要がある。
【０００６】
これに鑑みて本考案申請人は長年来コンピューター周辺装置及び生産販売
に従事してきた経験から、前記のメモリーカードコピー機の欠点を改善すべく、幾度にも及ぶ実験並びにテストを繰り返して本考案の「ＭＰ３プレーヤーを有するメガネ」にまで発展させたのである。
【課題を解決するための手段】
【０００７】
本考案の主な目的はＭＰ３プレーヤーを有するメガネを提供することであり、前端にメガネフレーム及び２枚のレンズを有し、両側の後端にそれぞれ回転するサイド板を有すると共に、各サイド板のスライド端に耳のブラックト部を有するメガネであって、一つのサイド板は回転位置が設置されるメイン収納スペースに隣接し、その表面にメモリカードの挿入口を設けたメガネと、前記メイン収納スペースに設置し、前記メモリカードの挿入口に対応する箇所にメモリカードコネクターを設置するMP3モジュールと、前記メイン収納スペースを信号ラインを通じて前記ＭＰ３モジュールと電気的に接続する少なくとも一つのイヤホンとを含み、メモリカードをメイン収納スペースのメモリカードの挿入口より前記メモリコネクターに嵌め込み電気的に接続する。
【０００８】
本考案の二番目の目的は、ＭＰ３プレーヤーを有するメガネを提供することであり、前記メガネは一般の視力矯正用のメガネである。若しくは、前記メガネはサングラス、スポーツ用のグラスまたはワーク用の機能タイプグラスである。
【０００９】
本考案の別の目的は、ＭＰ３プレーヤーを有するメガネを提供することであり、前記メガネフレームの中央下端に一対の鼻パッドを具えている。このほかに、前記各サイド板（ツル）の耳のブラックト部は直線または折り曲げ状である。
【００１０】
本考案のさらなる目的は、ＭＰ３プレーヤーを有するメガネを提供することであり、前記メガネの他方のサイド板には回転位置が設置されるサブ収納スペースに隣接してメイン収納スペースと対向し、イヤホンの信号ラインを通すのに用いられる。
【００１１】
本考案のまたもう一つの目的は、ＭＰ３プレーヤーを有するメガネを提供することであり、前記メイン収納スペースは複数のケース孔を設置し、前記ＭＰ３モジュールは給電装置、ケース孔から露出する複数の制御キー及びケース孔から露出するコネクター挿入口を有する。このほかに、前記ＭＰ３プレーヤーの給電装置は充電バッテリーまたは少なくとも一つのボタン状のバッテリーである。
【考案を実施するための最良の形態】
【００１２】
図１及び図２で示すように、基本的に本考案のＭＰ３プレーヤーを有するメガネはメガネ１並びにＭＰ３モジュール２及び少なくとも一つのイヤホン３から構成される。
【００１３】
メガネ１は一般の視力矯正用のメガネ、若しくはサングラス、スポーツ用のグラス、ワーク用グラス等の機能タイプのグラスに使用可能である。前記メガネ１は前端にメガネフレーム１１及びその両側から後端にそれぞれ回転するサイド板１２より構成される。前記メガネフレーム１１は視力矯正若しくは機能タイプのレンズ１１１と自由に組み合わせでき、前記メガネフレーム１１中央下端に一対の鼻パッド１１２を具えている。このほか、各サイド板１２のスライド端にはユーザーの耳に掛けられるように、直線または折り曲げ状の耳のブラックト部１２１が取り付け可能てあるが、これは何れもメガネの基本構造につき、ここでは贅言しないこととする。
【００１４】
本考案の特徴は前記ＭＰ３モジュール２を設置するようにサイド板１２は突設されるメイン収納スペース１２２に回転位置が隣接している。前記メイン収納スペース  １２２には複数のケース孔１２３を設置し、前記ＭＰ３モジュール２の音楽の放送、一時停止、削除、オン・オフ、ボリューム調整、送り又は戻し及び電源充電並びにデータ送信などの従来機能を操作するために、前記ＭＰ３モジュール２の複数の制御キー２１及びコネクター挿入口（投影角度の関係上未提示）が露出しているが、ここでは贅言しない。このほか、前記メイン収納スペース１２２にはMini-SDカードのようなメモリカード４の挿入用に別途メモリカード挿入口１２４を設置している。また、前記メガネ１に対称性を持たせるように、他方のサイド板１２は突設されるサブ収納スペース１２５に回転位置が隣接しているが、これは装飾用並びにイヤホン３の信号ライン３１用であり、内部は空洞である。
【００１５】
ＭＰ３モジュール２は前記のメイン収納スペース１２２内に設置され、複数の制御キー２１並びにコネクター挿入口が複数のケース孔１２３より露出して制御の用に供され、前記ＭＰ３モジュール２には公知の給電装置が取り付けられ、例えば充電バッテリー並びに少なくとも一つのボタン状のバッテリーが内蔵されている。前記ＭＰ３モジュール２の考案の特徴はメモリーは内蔵設置ではなく、メモリカードコネクター２３を設置して、メモリカード４がメイン収納スペース１２２のメモリカード挿入口１２４を通して、前記メモリカードコネクター２３と電気的に接続し、前記ＭＰ３モジュール２は前記メモリカード４内に保存されている音楽データを読み取り若しくは削除することができる。
【００１６】
イヤホン３は公知のもので、図示するように信号ライン３１でメイン及びサブ収納スペース１２２、１２５を通り、前記ＭＰ３モジュール２と電気的に接続し、これにより前記ＭＰ３モジュール２が放送する音楽を前記イヤホンを通して聴くことができる。
【００１７】
メモリカード４もまた公知のものであるが、使用に際してはMini-SDカードが好ましく、ユーザーはそのニーズ並びに経済的要因により１２８ＭＢ、２５６ＭＢ、      ５１２ＭＢ、１ＧＢ等のメモリカードのように異なったメモリー量を選択できる。前記メモリカード４はメイン収納スペース１２２のメモリ挿入口１２４を通り、ＭＰ３モジュール２のメモリカードコネクター２３と電気的に接続し、その内部に保存されている音楽データを放送する。
【００１８】
図２は、ユーザーがメガネ１をかけて音楽を聴こうとする際に、メモリカード４をメイン収納スペース１２２のメモリカード挿入口１２４に通すだけでよく、直接    ＭＰ３モジュール２のメモリカードコネクター２３に嵌め込んで電気的に接続し、二つのイヤホン３を耳に嵌め込んで、前記制御キー２１の操作によって何時でも何処でも音楽を楽しめるのでこの上なく便利である。
【００１９】
本考案の実施にあたって、メガネのＭＰ３モジュールはメモリーを設置しないので、ＭＰ３モジュールのメーカーにとってもメモリの売価変動及び資金滞留の悩みに直面することがなく、また工場内のメモリーもゼロ在庫で済む。このため、ＭＰ３モジュールの売価は大幅に低下し消費者に還元できるわけである。本考案のＭＰ３プレーヤーを有するメガネは消費者にとり、街の見物やスポーツ或いは仕事中にメガネをかけるというだけでなく、同時にＭＰ３モジュールの操作によって音楽を聴くことができ、且つ音楽データの選択についてはメモリ容量のメモリカードを自身で購入するので、容量不足に悩まされることもなく、また消費者は自身の経済条件を考慮して異なったメモリ容量のメモリカードを購入できるのである。このため、本考案はＭＰ３モジュールのメーカー及び消費者にとり、双方に利益を齎す結果となり、同類の品物では空前の大傑作と云えるのである。
【００２０】
本考案で開示した内容は最良の実施例に過ぎず、局部の改変若しくは補正は本考案の技術思想の流れを汲み、本項の熟練技術者が容易に類推できるものは、何れも本考案の特許範囲内のものとする。
【００２１】
上記の本考案は目的、手段及び効果を問わず従来の技術的特徴と大きく異なることを示しており、まず実用的に考案されており、また実用新案特許の要件にも合致しており、社会貢献に資するべく審査委員のご賢察により早期に特許を賜りたく願う次第である。
【図面の簡単な説明】
【００２２】
【図１】本考案のＭＰ３プレーヤーを有するメガネの局部断面の立体図である。
【図２】本考案のＭＰ３プレーヤーを有するメガネの立体図である。
【符号の説明】
【００２３】
１  メガネ
１１  メガネフレーム
１１１  レンズ
１１２  鼻パッド
１２  サイド板
１２１  耳のブラックト部
１２２  メイン収納スペース
１２３  ケース孔
１２４  メモリカードの挿入口
１２５  サブ収納スペース
２  ＭＰ３モジュール
２１  制御キー
２２  給電装置
２３  メモリカードコネクター
３  イヤホン
３１  信号ライン
４  メモリカード
【図１】
0003129425.tif 000003
【図２】
0003129425.tif 000004